(57)【特許請求の範囲】
【請求項１】
１以上の無線基地局によりカバーするエリアを複数有するサービスエリアに設置した複数の前記無線基地局のそれぞれの無線基地局よりアラーム情報をそれぞれ受信し、このアラーム情報より前記無線基地局に対してこの無線基地局の設置現場において障害復旧処置が必要か否かを判定し必要と判定したときにこの無線基地局の設置された前記エリア内で前記障害復旧処置の必要な前記無線基地局が増加したとしてこの障害復旧処置の必要な前記無線基地局の数をカウントアップしこのカウントアップした障害復旧処置の必要な前記無線基地局の数より前記障害復旧処置が必要な前記無線基地局の発生率を示す障害基地局発生率を前記エリア毎に求め、前記エリア内で通信された情報量のこのエリア内の無線基地局による平均を示す平均トラフィック量と前記求めた前記障害基地局発生率とにより前記障害復旧処置を行う前記エリアの順番を決めるようにしたことを特徴とする障害復旧優先順位決定方法。
【請求項２】
前記障害復旧処置を行う前記エリアの順番は、前記障害基地局発生率が大きく前記平均トラフィック量の多い前記エリアの順番とするようにしたことを特徴とする請求項１記載の障害復旧優先順位決定方法。
【請求項３】
前記障害復旧処置を行う前記エリアの順番は、予めエリアに番号を付け、このエリア番号を前記エリアの障害基地局発生率の大きい順に並べこの並べた前記エリア番号に対応する前記障害基地局発生率に並べた順の重みを付けて重み付け障害基地局発生率を生成し、前記エリア番号を前記エリアの前記平均トラフィック量の多い順に並べこの並べた前記エリア番号に対応する前記平均トラフィック量に並べた順の重みを付けて重み付け平均トラフィック量を生成し、同じ前記エリア番号に対応する前記重み付け障害基地局発生率と前記重み付け平均トラフィック量とを加算し、この加算した結果の大きい前記エリア番号の順番とするようにしたことを特徴とする請求項１記載の障害復旧優先順位決定方法。
【請求項４】
１以上の無線基地局によりカバーするエリアを複数有してなるサービスエリアに設置した複数の前記無線基地局のそれぞれの無線基地局よりアラーム情報をそれぞれ受信し、これらのアラーム情報より前記無線基地局に対してこの無線基地局の設置現場において障害復旧処置を行う前記エリアの順番を決める監視制御装置において、
複数の前記無線基地局から前記アラーム情報をそれぞれ受けこの受けたアラーム情報よりこの情報を送信した前記無線基地局がこの無線基地局の設置現場において前記障害復旧処置が必要か否かを判定し必要と判定したときに前記アラーム情報に含まれる前記無線基地局を特定するシリアル番号を送信する集約装置と、前記集約装置から前記シリアル番号を受けこの受けたシリアル番号の示す前記無線基地局の設置された前記エリア内で前記障害復旧処置の必要な前記無線基地局が増加したとしてこの障害復旧処置の必要な前記無線基地局の数をカウントアップして前記エリアに付けたエリア番号に対応付けて格納し、予め定めた期間毎に、前記エリア番号に対応付けて前記格納した前記障害復旧処置の必要な前記無線基地局の数より前記障害復旧処置が必要な前記無線基地局の発生率を示す障害基地局発生率を前記エリア番号毎に求めるとともに、予め定めた期間毎に更新して格納してある前記無線基地局毎のこの無線基地局により通信された情報量より前記エリア番号の示すエリア内で通信された情報量のこのエリア内の無線基地局による平均を示す平均トラフィック量を前記エリア番号毎に求め、前記求めた前記障害基地局発生率と前記求めた前記平均トラフィック量とにより前記障害復旧処置を行う前記エリアの順番を決めこの決めた順番に前記エリア番号を並べて出力する演算処理装置と、
を備えたことを特徴とする監視制御装置。
【請求項５】
前記演算処理装置は、前記求めた前記障害基地局発生率が大きく前記求めた前記平均トラフィック量の多い前記エリア番号の順に前記障害復旧処置を行う前記エリアの順番を決めこの順番に前記エリア番号を並べて出力するようにしたことを特徴とする請求項４記載の監視制御装置。
【請求項６】
前記演算処理装置は、前記エリア番号を前記求めた前記障害基地局発生率の大きい順に並べこの並べた前記エリア番号に対応する前記障害基地局発生率に並べた順の重みを付けて重み付け障害基地局発生率を生成するとともに、前記エリア番号を前記求めた前記平均トラフィック量の多い順に並べこの並べた前記エリア番号に対応する前記平均トラフィック量に並べた順の重みを付けて重み付け平均トラフィック量を生成し、同じ前記エリア番号に対応する前記重み付け障害基地局発生率と前記重み付け平均トラフィック量とを加算し、この加算した結果の大きい順に前記エリア番号を並べて出力するようにしたことを特徴とする請求項４記載の監視制御装置。
【請求項７】
前記演算処理装置は、前記無線基地局を特定する前記シリアル番号に対応付けてこの無線基地局の設置された前記エリアのエリア番号を予め保持するとともに前記無線基地局により通信された情報量を示すトラフィック情報を前記無線基地局の前記シリアル番号毎に予め定めた期間毎に更新して保持するデータベースと、
前記集約装置から前記シリアル番号を受けこの受けたシリアル番号よりこのシリアル番号の示す前記無線基地局の設置された前記エリアの前記エリア番号を前記データベースから入手しこの入手したエリア番号の示すエリア内で前記障害復旧処置の必要な前記無線基地局が増加したとしてこの障害復旧処置の必要な前記無線基地局の数をカウントアップして前記エリア番号に対応付けて格納し、予め定めた期間毎に、前記エリア番号に対応付けて前記格納した前記障害復旧処置の必要な前記無線基地局の数より前記障害復旧処置が必要な前記無線基地局の発生率を示す障害基地局発生率を前記エリア番号毎に求めこの求めた前記障害基地局発生率を前記エリア番号とともに送信するアラームカウント部と、
予め定めた期間毎に、前記サービスエリアに設置したすべての前記無線基地局の前記トラフィック情報とこれらの無線基地局に対応するエリア番号とを前記データベースから入手し前記エリア番号の示すエリア内で通信された情報量のこのエリア内の無線基地局による平均を示す平均トラフィック量を前記エリア番号毎に求めこの求めた平均トラフィック量を前記エリア番号とともに送信するトラフィックカウント部と、
前記エリア番号毎の前記障害基地局発生率と前記エリア番号毎の前記平均トラフィック量とを前記アラームカウント部と前記トラフィックカウント部とよりそれぞれ受けこの受けた前記障害基地局発生率と前記平均トラフィック量とにより前記障害復旧処置を行う前記エリアの順番を決めこの決めた順番に前記エリア番号を並べて出力する障害復旧優先順位生成部と、
を備えたことを特徴とする請求項４記載の監視制御装置。
【請求項８】
前記障害復旧優先順位生成部は、前記エリア番号毎の前記障害基地局発生率と前記エリア番号毎の前記平均トラフィック量とを前記アラームカウント部と前記トラフィックカウント部とよりそれぞれ受けこの受けた前記障害基地局発生率が大きく前記平均トラフィック量の多い前記エリア番号の順に前記障害復旧処置を行う前記エリアの順番を決めこの順番に前記エリア番号を並べて出力するようにしたことを特徴とする請求項７記載の監視制御装置。
【請求項９】
前記障害復旧優先順位生成部は、前記エリア番号毎の前記障害基地局発生率と前記エリア番号毎の前記平均トラフィック量とを前記アラームカウント部と前記トラフィックカウント部とよりそれぞれ受け、前記エリア番号を前記障害基地局発生率の大きい順に並べこの並べた前記エリア番号に対応する前記障害基地局発生率に並べた順の重みを付けて重み付け障害基地局発生率を生成するとともに、前記エリア番号を前記平均トラフィック量の多い順に並べこの並べた前記エリア番号に対応する前記平均トラフィック量に並べた順の重みを付けて重み付け平均トラフィック量を生成し、同じ前記エリア番号に対応する前記重み付け障害基地局発生率と前記重み付け平均トラフィック量とを加算しこの加算した結果の大きい順に前記エリア番号を並べて出力するようにしたことを特徴とする請求項７記載の監視制御装置。
【発明の詳細な説明】
【０００１】
【発明の属する技術分野】
本発明は障害復旧優先順位決定方法およびこの方法を用いた監視制御装置に関し、特に１以上の無線基地局によりカバーするエリアを複数有してなるサービスエリアに設置した複数の前記無線基地局のそれぞれの無線基地局よりアラーム情報をそれぞれ受信し、これらのアラーム情報より前記無線基地局に対してこの無線基地局の設置現場において障害復旧処置を行う前記エリアの順番を決める障害復旧優先順位決定方法およびこの方法を用いた監視制御装置に関する。
【０００２】
【従来の技術】
従来、この種の監視制御装置は、従来の監視制御装置を示す図３を参照して説明すると、サービスエリアに複数（数万局にもおよぶ）の無線基地局８を設置し、これらの無線基地局８が異常を発見したときアラーム情報９をそれぞれ出力し、複数の集約装置はこれらの装置の近隣の無線基地局８よりのアラーム情報９をそれぞれ受けプロトコル変換を行い演算処理装置へそれぞれ送信し、演算処理装置はアラーム情報９を受信しこの受信したアラーム情報９をアラーム情報分配部にて分配しデータベースに障害履歴として蓄積するとともにこのアラーム情報９を出力部を介して出力する。すなわち、監視制御装置は、サービスエリアをカバーする全無線基地局８の全アラーム情報９を受信するようにしている。そして、保守作業を行う場合、受信した全アラーム情報９を基にして、現場での保守作業の規模と作業ルーチンを決定するようにしている。
【０００３】
【発明が解決しようとする課題】
上述した従来の監視制御装置は、サービスエリアをカバーする全無線基地局の全アラーム情報を受信し、この受信した全アラーム情報を単にデータベースに障害履歴として蓄積するとともにこのアラーム情報を出力部を介して出力するのみであるため、保守作業者はこのアラーム情報の整理に時間がかかり、緊急を要する障害復旧の必要な無線基地局に対して対応できない恐れがあるという問題がある。また、受信した全アラーム情報を基にして、無線基地局の設置現場での保守作業の規模と作業ルーチンを決定するようにしているため、保守作業の規模と作業ルーチンの決定に時間がかかるという問題がある。また、小規模エリア単位として監視しておらず無線基地局を単位として監視しているため、サービスエリア全体のどの場所にある無線基地局を優先して保守作業の実施をすれば良いか特定するのに時間がかかりエンドユーザに対するサービスの品質を保持できない恐れがあるという問題がある。
本発明の目的はこのような従来の欠点を除去するため、アラーム情報の整理に時間がかからず緊急を要する障害復旧の必要な無線基地局に対して対応でき、保守作業の規模と作業ルーチンの決定に時間がかからず、サービスエリア全体のどの場所にある無線基地局を優先して保守作業を実施すれば良いか特定するのに時間がかからない障害復旧優先順位決定方法およびこの方法を用いた監視制御装置を提供することにある。
【０００４】
【課題を解決するための手段】
本発明の障害復旧優先順位決定方法は、１以上の無線基地局によりカバーするエリアを複数有するサービスエリアに設置した複数の前記無線基地局のそれぞれの無線基地局よりアラーム情報をそれぞれ受信し、このアラーム情報より前記無線基地局に対してこの無線基地局の設置現場において障害復旧処置が必要か否かを判定し必要と判定したときにこの無線基地局の設置された前記エリア内で前記障害復旧処置の必要な前記無線基地局が増加したとしてこの障害復旧処置の必要な前記無線基地局の数をカウントアップしこのカウントアップした障害復旧処置の必要な前記無線基地局の数より前記障害復旧処置が必要な前記無線基地局の発生率を示す障害基地局発生率を前記エリア毎に求め、前記エリア内で通信された情報量のこのエリア内の無線基地局による平均を示す平均トラフィック量と前記求めた前記障害基地局発生率とにより前記障害復旧処置を行う前記エリアの順番を決めるようにしている。
【０００５】
本発明の障害復旧優先順位決定方法の前記障害復旧処置を行う前記エリアの順番は、前記障害基地局発生率が大きく前記平均トラフィック量の多い前記エリアの順番とするようにしている。
【０００６】
また、本発明の障害復旧優先順位決定方法の前記障害復旧処置を行う前記エリアの順番は、予めエリアに番号を付け、このエリア番号を前記エリアの障害基地局発生率の大きい順に並べこの並べた前記エリア番号に対応する前記障害基地局発生率に並べた順の重みを付けて重み付け障害基地局発生率を生成し、前記エリア番号を前記エリアの前記平均トラフィック量の多い順に並べこの並べた前記エリア番号に対応する前記平均トラフィック量に並べた順の重みを付けて重み付け平均トラフィック量を生成し、同じ前記エリア番号に対応する前記重み付け障害基地局発生率と前記重み付け平均トラフィック量とを加算し、この加算した結果の大きい前記エリア番号の順番とするようにしている。
【０００７】
本発明の監視制御装置は、１以上の無線基地局によりカバーするエリアを複数有してなるサービスエリアに設置した複数の前記無線基地局のそれぞれの無線基地局よりアラーム情報をそれぞれ受信し、これらのアラーム情報より前記無線基地局に対してこの無線基地局の設置現場において障害復旧処置を行う前記エリアの順番を決める監視制御装置において、
複数の前記無線基地局から前記アラーム情報をそれぞれ受けこの受けたアラーム情報よりこの情報を送信した前記無線基地局がこの無線基地局の設置現場において前記障害復旧処置が必要か否かを判定し必要と判定したときに前記アラーム情報に含まれる前記無線基地局を特定するシリアル番号を送信する集約装置と、前記集約装置から前記シリアル番号を受けこの受けたシリアル番号の示す前記無線基地局の設置された前記エリア内で前記障害復旧処置の必要な前記無線基地局が増加したとしてこの障害復旧処置の必要な前記無線基地局の数をカウントアップして前記エリアに付けたエリア番号に対応付けて格納し、予め定めた期間毎に、前記エリア番号に対応付けて前記格納した前記障害復旧処置の必要な前記無線基地局の数より前記障害復旧処置が必要な前記無線基地局の発生率を示す障害基地局発生率を前記エリア番号毎に求めるとともに、予め定めた期間毎に更新して格納してある前記無線基地局毎のこの無線基地局により通信された情報量より前記エリア番号の示すエリア内で通信された情報量のこのエリア内の無線基地局による平均を示す平均トラフィック量を前記エリア番号毎に求め、前記求めた前記障害基地局発生率と前記求めた前記平均トラフィック量とにより前記障害復旧処置を行う前記エリアの順番を決めこの決めた順番に前記エリア番号を並べて出力する演算処理装置と、
を備えて構成されている。
【０００８】
本発明の監視制御装置の前記演算処理装置は、前記求めた前記障害基地局発生率が大きく前記求めた前記平均トラフィック量の多い前記エリア番号の順に前記障害復旧処置を行う前記エリアの順番を決めこの順番に前記エリア番号を並べて出力するようにしている。
【０００９】
また、本発明の監視制御装置の前記演算処理装置は、前記エリア番号を前記求めた前記障害基地局発生率の大きい順に並べこの並べた前記エリア番号に対応する前記障害基地局発生率に並べた順の重みを付けて重み付け障害基地局発生率を生成するとともに、前記エリア番号を前記求めた前記平均トラフィック量の多い順に並べこの並べた前記エリア番号に対応する前記平均トラフィック量に並べた順の重みを付けて重み付け平均トラフィック量を生成し、同じ前記エリア番号に対応する前記重み付け障害基地局発生率と前記重み付け平均トラフィック量とを加算し、この加算した結果の大きい順に前記エリア番号を並べて出力するようにしている。
【００１０】
更に、本発明の監視制御装置の前記演算処理装置は、前記無線基地局を特定する前記シリアル番号に対応付けてこの無線基地局の設置された前記エリアのエリア番号を予め保持するとともに前記無線基地局により通信された情報量を示すトラフィック情報を前記無線基地局の前記シリアル番号毎に予め定めた期間毎に更新して保持するデータベースと、
前記集約装置から前記シリアル番号を受けこの受けたシリアル番号よりこのシリアル番号の示す前記無線基地局の設置された前記エリアの前記エリア番号を前記データベースから入手しこの入手したエリア番号の示すエリア内で前記障害復旧処置の必要な前記無線基地局が増加したとしてこの障害復旧処置の必要な前記無線基地局の数をカウントアップして前記エリア番号に対応付けて格納し、予め定めた期間毎に、前記エリア番号に対応付けて前記格納した前記障害復旧処置の必要な前記無線基地局の数より前記障害復旧処置が必要な前記無線基地局の発生率を示す障害基地局発生率を前記エリア番号毎に求めこの求めた前記障害基地局発生率を前記エリア番号とともに送信するアラームカウント部と、
予め定めた期間毎に、前記サービスエリアに設置したすべての前記無線基地局の前記トラフィック情報とこれらの無線基地局に対応するエリア番号とを前記データベースから入手し前記エリア番号の示すエリア内で通信された情報量のこのエリア内の無線基地局による平均を示す平均トラフィック量を前記エリア番号毎に求めこの求めた平均トラフィック量を前記エリア番号とともに送信するトラフィックカウント部と、
前記エリア番号毎の前記障害基地局発生率と前記エリア番号毎の前記平均トラフィック量とを前記アラームカウント部と前記トラフィックカウント部とよりそれぞれ受けこの受けた前記障害基地局発生率と前記平均トラフィック量とにより前記障害復旧処置を行う前記エリアの順番を決めこの決めた順番に前記エリア番号を並べて出力する障害復旧優先順位生成部と、
を備えて構成されている。
【００１１】
本発明の監視制御装置の前記障害復旧優先順位生成部は、前記エリア番号毎の前記障害基地局発生率と前記エリア番号毎の前記平均トラフィック量とを前記アラームカウント部と前記トラフィックカウント部とよりそれぞれ受けこの受けた前記障害基地局発生率が大きく前記平均トラフィック量の多い前記エリア番号の順に前記障害復旧処置を行う前記エリアの順番を決めこの順番に前記エリア番号を並べて出力するようにしている。
【００１２】
また、本発明の監視制御装置の前記障害復旧優先順位生成部は、前記エリア番号毎の前記障害基地局発生率と前記エリア番号毎の前記平均トラフィック量とを前記アラームカウント部と前記トラフィックカウント部とよりそれぞれ受け、前記エリア番号を前記障害基地局発生率の大きい順に並べこの並べた前記エリア番号に対応する前記障害基地局発生率に並べた順の重みを付けて重み付け障害基地局発生率を生成するとともに、前記エリア番号を前記平均トラフィック量の多い順に並べこの並べた前記エリア番号に対応する前記平均トラフィック量に並べた順の重みを付けて重み付け平均トラフィック量を生成し、同じ前記エリア番号に対応する前記重み付け障害基地局発生率と前記重み付け平均トラフィック量とを加算しこの加算した結果の大きい順に前記エリア番号を並べて出力するようにしている。
【００１３】
【発明の実施の形態】
次に、本発明の実施の形態について図面を参照して説明する。
【００１４】
図１は、本発明の監視制御装置の一つの実施の形態を示すブロック図である。
【００１５】
図１に示す本実施の形態は、１以上の無線基地局８によりカバーするエリアを複数有してなるサービスエリアに設置した複数の無線基地局８のそれぞれの無線基地局８よりアラーム情報９をそれぞれ受信し、これらのアラーム情報９より無線基地局８に対してこの無線基地局８の設置現場において部品交換や修理を含む障害復旧処置を行うエリアの順番を決める監視制御装置１において、複数の無線基地局８からアラーム情報９をそれぞれ受けこの受けたアラーム情報９よりこの情報を送信した無線基地局８がこの無線基地局８の設置現場において障害復旧処置が必要か否かを予め定めたアラーム発生条件により判定し必要と判定したときにアラーム情報９に含まれる無線基地局８を特定するシリアル番号を送信する集約装置２と、集約装置２からシリアル番号を受けこの受けたシリアル番号の示す無線基地局８の設置されたエリア内で障害復旧処置の必要な無線基地局８が増加したとしてこの障害復旧処置の必要な無線基地局８の数をカウントアップしてエリアに付けたエリア番号に対応付けて格納し、予め定めた期間毎（例えば、日毎）に、エリア番号に対応付けて格納した障害復旧処置の必要な無線基地局８の数より障害復旧処置が必要な無線基地局８の発生率を示す障害基地局発生率１０をエリア番号毎に求めるとともに、予め定めた期間毎（例えば、日毎）に更新して格納してある無線基地局８毎のこの無線基地局８により通信された情報量よりエリア番号の示すエリア内で通信された情報量のこのエリア内の無線基地局８による平均を示す平均トラフィック量１１をエリア番号毎に求めこの求めた障害基地局発生率１０が大きくこの求めた平均トラフィック量１１の多いエリア番号の順に障害復旧処置を行うエリアの順番を決めこの順番にエリア番号を並べて出力する演算処理装置３とにより構成されている。
【００１６】
演算処理装置３は、エリア番号をこの求めた障害基地局発生率１０の大きい順に並べこの並べたエリア番号に対応する障害基地局発生率１０に並べた順の重みを付けて重み付け障害基地局発生率を生成するとともに、エリア番号をこの求めた平均トラフィック量１１の多い順に並べこの並べたエリア番号に対応する平均トラフィック量１１に並べた順の重みを付けて重み付け平均トラフィック量を生成し、同じエリア番号に対応する重み付け障害基地局発生率と重み付け平均トラフィック量とを加算し、この加算した結果の大きい順にエリア番号を並べて出力するようにしている。
【００１７】
演算処理装置３は、無線基地局８を特定するシリアル番号に対応付けてこの無線基地局８の設置されたエリアのエリア番号を予め保持するとともに無線基地局８により通信された情報量を示すトラフィック情報を無線基地局８のシリアル番号毎に予め定めた期間毎（例えば、日毎）に更新して保持するデータベース６と、集約装置２からシリアル番号を受けこの受けたシリアル番号よりこのシリアル番号の示す無線基地局８の設置されたエリアのエリア番号をデータベース６から入手しこの入手したエリア番号の示すエリア内で障害復旧処置の必要な無線基地局８が増加したとしてこの障害復旧処置の必要な無線基地局８の数をカウントアップしてエリア番号に対応付けて格納し、予め定めた期間毎（例えば、日毎）に、エリア番号に対応付けて格納した障害復旧処置の必要な無線基地局８の数より障害復旧処置が必要な無線基地局８の発生率を示す障害基地局発生率１０をエリア番号毎に求めこの求めた障害基地局発生率１０をエリア番号とともに送信するアラームカウント部４と、予め定めた期間毎（例えば、日毎）に、サービスエリアに設置したすべての無線基地局８のトラフィック情報とこれらの無線基地局８に対応するエリア番号とをデータベース６から入手しエリア番号の示すエリア内で通信された情報量のこのエリア内の無線基地局８による平均を示す平均トラフィック量１１をエリア番号毎に求めこの求めた平均トラフィック量１１をエリア番号とともに送信するトラフィックカウント部５と、エリア番号毎の障害基地局発生率１０とエリア番号毎の平均トラフィック量１１とをアラームカウント部４とトラフィックカウント部５とよりそれぞれ受けこの受けた障害基地局発生率１０が大きく平均トラフィック量１１の多いエリア番号の順に障害復旧処置を行うエリアの順番を決めこの順番にエリア番号を並べて出力する障害復旧優先順位生成部７とにより構成されている。
【００１８】
障害復旧優先順位生成部７は、エリア番号毎の障害基地局発生率１０とエリア番号毎の平均トラフィック量１１とをアラームカウント部４とトラフィックカウント部５とよりそれぞれ受け、エリア番号を障害基地局発生率１０の大きい順に並べこの並べたエリア番号に対応する障害基地局発生率１０に並べた順の重みを付けて重み付け障害基地局発生率を生成するとともに、エリア番号を平均トラフィック量１１の多い順に並べこの並べたエリア番号に対応する平均トラフィック量１１に並べた順の重みを付けて重み付け平均トラフィック量を生成し、同じエリア番号に対応する重み付け障害基地局発生率と重み付け平均トラフィック量とを加算しこの加算した結果の大きい順にエリア番号を並べて出力するようにしている。
【００１９】
なお、集約装置２を複数設置しても良く、図１には、集約装置２を複数設置したときの例を示し、複数の集約装置２はこれらの装置の近隣の無線基地局８よりのアラーム情報９をそれぞれ受け、この受けた情報を送信した無線基地局８がこの無線基地局８の設置現場において障害復旧処置が必要か否かをそれぞれ判定し必要と判定したときにアラーム情報９に含まれる無線基地局８を特定するシリアル番号をアラームカウント部４へそれぞれ送信するようにしている。
【００２０】
次に、本実施の形態の監視制御装置の動作を図２を参照して詳細に説明する。
【００２１】
図２は、本発明の実施の形態の動作の一例を示し、本発明の障害復旧優先順位決定方法の一例を示す流れ図である。
【００２２】
図１において、監視制御装置１は、複数の集約装置２により、１以上の無線基地局８によりカバーするエリアを複数有するサービスエリアに設置した複数の無線基地局８のそれぞれの無線基地局８よりアラーム情報９をそれぞれ受信し（Ｓ２１）、このアラーム情報９より無線基地局８に対してこの無線基地局８の設置現場において部品交換や修理を含む障害復旧処置が必要か否かを予め定めたアラーム発生条件を参照して判定し、必要と判定したときにこの無線基地局８のシリアル番号を演算処理装置３に送り（Ｓ２２）、演算処理装置３により、このシリアル番号に対応する無線基地局８の設置されたエリア内で障害復旧処置の必要な無線基地局８が増加したとしてこの障害復旧処置の必要な無線基地局８の数をカウントアップし（Ｓ２３）、このカウントアップした障害復旧処置の必要な無線基地局８の数より障害復旧処置が必要な無線基地局８の発生率を示す障害基地局発生率１０をエリア毎に求め（この障害基地局発生率１０は、単に、エリアに対応する「障害復旧処置の必要な無線基地局８の数」でも、エリアに対応する「障害復旧処置の必要な無線基地局８の数」をこのエリア内の無線基地局８の数で除したものでも良く、ここでは、単に、エリアに対応する「障害復旧処置の必要な無線基地局８の数」として説明する。）（Ｓ２４）、エリア内で通信された情報量のこのエリア内の無線基地局８による平均を示す平均トラフィック量１１とステップ２４（Ｓ２４）で求めた障害基地局発生率１０とにより障害基地局発生率１０が大きく平均トラフィック量１１の多いエリアの順番とするように障害復旧処置を行うエリアの順番を決めてこの決めた順番にエリア番号を出力する。すなわち、エリア番号をエリアの障害基地局発生率１０の大きい順に並べこの並べたエリア番号に対応する障害基地局発生率１０に並べた順の重みを付けて重み付け障害基地局発生率を生成する（ここで、重み付けの方法を説明すると、例えば、サービスエリアをカバーするエリアのエリア番号が１から１００まであるとすると、各エリア番号に対応する障害基地局発生率１０（例えば、「障害復旧処置が必要な無線基地局８の数」）が大きい順にならべ、例えば、５５番のエリア番号に対応する障害基地局発生率１０が１から１００までのエリア番号に対応する障害基地局発生率１０のなかで一番大きいとすると、１００という自然数の重みを５５番のエリア番号に対応する障害基地局発生率１０に付け（障害基地局発生率１０に１００を掛ける）、次に、例えば、４９番のエリア番号に対応する障害基地局発生率１０が１から１００までのエリア番号に対応する障害基地局発生率１０のなかで二番目に大きいとすると、９９という自然数の重みを４９番のエリア番号に対応する障害基地局発生率１０に付け（障害基地局発生率１０に９９を掛ける）、同様にして、障害基地局発生率１０が１００番目までのエリア番号に対応する障害基地局発生率１０に重みを付ける。）。そして、エリア番号をエリアの平均トラフィック量１１の多い順に並べこの並べたエリア番号に対応する平均トラフィック量１１に並べた順の重みを付けて重み付け平均トラフィック量を生成する（重み付けの方法は、同上）。そして、同じエリア番号に対応する重み付け障害基地局発生率と重み付け平均トラフィック量とを加算し、この加算した結果の大きいエリア番号の順番とするように障害復旧処置を行うエリアの順番を決めてこの決めた順番にエリア番号を出力する（Ｓ２５）。
【００２３】
図１において、演算処理装置３を更に詳しく説明すると、演算処理装置３は、アラームカウント部４により、集約装置２から送信された無線基地局８のシリアル番号を受信し受信したときの時刻が特定の日付（例えばＸ日）内に該当するか判断し、該当する場合無線基地局８のシリアル番号でデータベース６を検索して無線基地局８のエリア番号を抽出する。そして、各エリア番号毎に障害復旧処置が必要な無線基地局８の数をカウントしこのカウントした結果をデータＡとし、特定の日（Ｘ）の範囲内で各エリア番号毎の障害復旧処置を必要とする無線基地局８の数をインクリメントしこの結果をデータＡとする。特定の日付（Ｘ）が過ぎたらその時点でのデータＡをもとに、各エリア毎にカウントされた無線基地局８の発生率を計算しこの結果をデータＢとし、各エリア毎のデータＢをエリア番号とともに障害復旧優先順位生成部７へ送信する。次に、トラフィックカウント部５により、アラームカウント部４からデータＢが障害復旧優先順位生成部７へ送信されたか確認し送信されたことを確認した場合（この時点で日付はＸでなく次の日の日付（Ｘ＋１）に移行している）、日付（Ｘ）の全無線基地局８のトラフィック情報をデータベース６から抽出し（このトラフィック情報は、次のようにしてデータベース６へ毎日蓄積する。すなわち、集約装置２が一日一回この集約装置２の担当する無線基地局８に対してトラフィック情報を取りに行き、演算処理部へ転送し、演算処理部はこのトラフィック情報を「無線基地局８単位の一日分のトラフィック情報」として、データベース６へ毎日蓄積する。）、各エリア番号毎に無線基地局８の平均トラフィック量１１を計算しその結果をデータＣとし、各エリア番号毎のデータＣをエリア番号とともに障害復旧優先順位生成部７へ送信する。そして、障害復旧優先順位生成部７により、アラームカウント部４とトラフィックカウント部５とからデータＢとデータＣとをエリア番号とともにそれぞれ受信し、まず、データＢの値を降順にソートし（これにより、障害復旧処置が必要な無線基地局８の数が大きいエリア番号順に並べられる）、その後大きい順に自然数の重みをつけこの結果をデータＥとする。また、データＢとデータＣをもとにして、全トラフィック情報であるデータＣのうちから障害復旧処置が必要な無線基地局８があるエリア番号のみのデータＣを抽出しこの結果をデータＤ（もちろん、全トラフィック情報であるデータＣをそのままデータＤとしても良い。）としこのデータＤをもとにしてこの値を降順にソートし（これにより、障害復旧処置が必要な無線基地局８があるエリア番号のうちの平均トラフィック量１１が多いエリア番号が順に並べられる）、その後大きい順に自然数の重みを付けこの結果をデータＦとする。最後にエリア番号ごとにデータＥとデータＦとの加算を行いこの結果をデータＧとしこのデータＧを降順にソートしこの結果によりエリア番号の障害復旧優先順位を決定し、決定されたエリア番号の障害復旧優先順位の結果を出力したり表示したりする。
【００２４】
以上の説明では、トラフィックカウント部５は、すべてのエリア番号の示すエリアに対して無線基地局８による平均トラフィック量１１を計算しその結果をデータＣとしていたが、アラームカウント部４からデータＢを受け、障害復旧処置が必要な無線基地局８があるエリア番号の示すエリアに対してのみ無線基地局８による平均トラフィック量１１を計算しても良い。
【００２５】
【発明の効果】
以上説明したように、本発明の障害復旧優先順位決定方法およびこの方法を用いた監視制御装置によれば、集約装置により、無線基地局から受けたアラーム情報よりこの情報を送信した無線基地局がこの無線基地局の設置現場において障害復旧処置が必要か否かを判定し必要と判定したときに無線基地局を特定するシリアル番号を送信し、演算処理装置により、集約装置から受けたシリアル番号の示す無線基地局の設置されたエリア内での「障害復旧処置の必要な無線基地局の数」をカウントアップし、予め定めた期間毎に、「障害復旧処置の必要な無線基地局の数」より障害基地局発生率をエリア番号毎に求めるとともに、予め定めた期間毎にエリア番号の示すエリア内で通信された情報量のこのエリア内の無線基地局による平均を示す平均トラフィック量をエリア番号毎に求め、この障害基地局発生率と平均トラフィック量とにより障害復旧処置を行うエリアの順番を決めるため、アラーム情報の整理に時間がかからず緊急を要する障害復旧の必要な無線基地局に対して対応でき、保守作業の規模と作業ルーチンの決定に時間がかからず、サービスエリア全体のどの場所にある無線基地局を優先して保守作業を実施すれば良いか特定するのに時間がかからない。そして、これにより、移動体通信サービスなどにおける監視制御装置において、数万局にもおよぶ無線基地局に対する不確定で低効率な保守業務を軽減させることができる。
【図面の簡単な説明】
【図１】本発明の監視制御装置の一つの実施の形態を示すブロック図である。
【図２】本発明の実施の形態の動作の一例を示し、本発明の障害復旧優先順位決定方法の一例を示す流れ図である。
【図３】従来の監視制御装置を示す図である。
【符号の説明】
１    監視制御装置
２    集約装置
３    演算処理装置
４    アラームカウント部
５    トラフィックカウント部
６    データベース
７    障害復旧優先順位生成部
８    無線基地局
９    アラーム情報
１０    障害基地局発生率
１１    平均トラフィック量
【図１】
0003539372.tif 000002
【図２】
0003539372.tif 000003
【図３】
0003539372.tif 000004